(57)【要約】【課題】  部品点数を低減しつつ多機能化を図ることができる車両制御装置を提供する。【解決手段】  車両２の複数のタイヤ５ａ〜５ｄにそれぞれ設けられたセンサ装置１１ａ〜１１ｄは、制御ユニット１４から送信されるタイヤ情報要求信号を受信すると、対応するタイヤ５ａ〜５ｄの少なくとも空気圧データを含むタイヤ情報信号を電波で送信する。制御ユニット１４は、タイヤ情報要求信号及びＩＤ要求信号を選択的に送信する送信アンテナ部１２ａ〜１２ｄ及び送信回路１５と、センサ装置１１ａ〜１１ｄからのタイヤ情報信号及び携帯機３からのＩＤコード信号を受信する受信アンテナ部１３ａ〜１３ｄ及び受信回路１６と、タイヤ情報信号に基づいて各センサ装置１１ａ〜１１ｄと対応するタイヤ５ａ〜５ｄの少なくとも空気圧を監視する監視制御を行うとともに、携帯機３からの送信信号に基づいて車両２の所定の電装品の作動制御を行う制御部１７とを備えている。【選択図】      図１
2005178635.tif 000002
【特許請求の範囲】
【請求項１】
車両の複数のタイヤにそれぞれ個別に設けられ、対応するタイヤの少なくとも空気圧データを含むタイヤ情報信号を電波で送信する複数のセンサ装置と、
前記タイヤ情報信号を受信するとともに、通信機能を有する携帯機から電波で送信される送信信号を受信する受信手段と、
前記受信手段によって受信された前記タイヤ情報信号に基づいて前記各センサ装置と対応するタイヤの少なくとも空気圧を監視する監視制御を行うとともに、前記携帯機からの送信信号に基づいて車両の所定の電装品の作動制御を行う制御手段と、
を備えることを特徴とする車両制御装置。
【請求項２】
前記タイヤ情報信号は、前記送信信号と異なる周波数に設定され、
前記受信手段は、受信周波数を変更可能に構成され、
前記制御手段は、前記受信手段による前記タイヤ情報信号の受信待機状態にあっては該タイヤ情報信号の周波数、該受信手段による前記送信信号の受信待機状態にあっては該送信信号の周波数となるように、該受信手段の受信周波数を制御することを特徴とする請求項１に記載の車両制御装置。
【請求項３】
前記制御手段から入力される入力信号を電波に変調して送信する送信手段を備え、
前記制御手段は、前記入力信号として、前記センサ装置に対して前記タイヤ情報信号の送信を要求するタイヤ情報要求信号と、前記携帯機に対して前記送信信号の送信を要求する送信要求信号とを選択的に出力する制御を行うとともに、該タイヤ情報要求信号に応答して送信された前記タイヤ情報信号が前記受信手段から入力された際に前記監視制御を行い、該送信要求信号に応答して送信された前記送信信号が前記受信手段から入力された際に前記作動制御を行うことを特徴とする請求項１または請求項２に記載の車両制御装置。
【請求項４】
通信機能を有する携帯機に対して送信信号の送信を要求する旨を示すリクエスト信号を車両室外の所定領域に電波で送信するとともに、該携帯機から電波で送信される前記送信信号を受信する送受信手段と、前記リクエスト信号に応答して送信された前記送信信号が前記送受信手段によって受信されたか否かに基づいてドアロック駆動装置を駆動制御してドア錠を施解錠するドア錠制御手段とを備えた車両用施解錠制御装置において、
前記送受信手段は、車両の複数のタイヤにそれぞれ個別に設けられた複数のセンサ装置から電波で送信される、それぞれ対応するタイヤの少なくとも空気圧データを含むタイヤ情報信号を、受信可能であることを特徴とする車両制御装置。
【請求項５】
前記ドア錠制御手段は、前記受信手段によって受信された前記タイヤ情報信号に基づいて前記各センサ装置と対応するタイヤの少なくとも空気圧を監視する監視制御を行うことを特徴とする請求項４に記載の車両制御装置。
【発明の詳細な説明】
【技術分野】
【０００１】
本発明は車両制御装置に係り、詳しくは、タイヤ空気圧監視機能を有する車両制御装置に関するものである。
【背景技術】
【０００２】
従来、例えば特許文献１に記載されるように、ユーザによって所持される携帯機との相互通信に基づいて、車両のドア錠の施解錠やエンジンの始動許可を制御する車両用セキュリティ制御装置が提案されている。
【０００３】
例えば図５に示すように、従来の車両用セキュリティ制御装置５１は、ユーザに所持される通信機能を有する携帯機５２と、車両５０に配設された車両制御装置５３とを備えている。
【０００４】
携帯機５２は、車両制御装置５３から送信されるＩＤ要求信号を受信すると、所定のＩＤコードを含むＩＤコード信号を自動的に送信する。
一方、車両制御装置５３は、送信回路５４、受信回路５５及び車両制御部５６を備えている。送信回路５４は、車両制御部５６から出力されるＩＤ要求信号を電波に変調し、その電波を送信アンテナ５４ａを介して外部に送信する。受信回路５５は、携帯機５２から送信されたＩＤコード信号を、受信アンテナ５５ａを介して受信するとともに、そのＩＤコード信号をパルス信号に復調して車両制御部５６に出力する。車両制御部５６は、ＩＤ要求信号の出力制御を行うとともに、受信回路５５からＩＤコード信号が入力されると、そのＩＤコード信号に含まれるＩＤコードと、自身に予め設定されたＩＤコードとの比較（ＩＤコード照合）を行う。そして、車両制御部５６は、それらＩＤコード同士が一致したことを条件として、ドアロック駆動装置５７に駆動信号を出力して車両のドア錠を施解錠したり、エンジン制御部５８に始動許可信号を出力してエンジンの始動を許可したりする。このため、例えばピッキングなどの不正行為によるドア錠の解錠やエンジンの始動が不能となり、車両のセキュリティレベルが向上する。
【０００５】
また、従来、例えば特許文献２に記載されるように、各タイヤの空気圧を監視するタイヤ空気圧監視装置が提案されている。
例えば図６に示すように、従来のタイヤ空気圧監視装置６１は、各タイヤに個別に設けられ、対応するタイヤの空気圧情報を含む無線信号を送信する複数のセンサ装置６２ａ〜６２ｄと、各センサ装置６２ａ〜６２ｄからの無線信号を受信し、その無線信号に含まれるタイヤ情報に基づいて各タイヤの空気圧を監視するモニタ装置６３とを備えている。また、モニタ装置６３は、各センサ装置６２ａ〜６２ｄからの無線信号を受信する複数の受信アンテナ部６４ａ〜６４ｄと、受信した無線信号をパルス信号に復調する受信回路６５と、該パルス信号に基づいて制御を行う監視用制御部６６とを備えている。詳しくは、各受信アンテナ部６４ａ〜６４ｄは、各センサ装置６２ａ〜６２ｄと対応して設けられ、対応した該センサ装置６２ａ〜６２ｄからの無線信号をそれぞれ受信する。監視用制御部６６は、入力されたパルス信号に含まれるタイヤ情報に基づいてタイヤに異常が生じていると判断すると、報知器６７に作動信号を出力して作動させ、タイヤに異常が生じている旨を搭乗者（ユーザ）に報知するようになっている。よって、こうしたタイヤ空気圧監視装置によれば、ユーザはタイヤの異常を迅速且つ確実に認識することができるため、タイヤの異常摩耗を防止することができるとともに、車両の安全性を向上させることができる。
【特許文献１】特開２０００−１８５６２８号公報
【特許文献２】特開２００３−１１８３３３号公報
【発明の開示】
【発明が解決しようとする課題】
【０００６】
ところで、近年では、車両の多機能化が進んでおり、前述したタイヤ空気圧監視機能とセキュリティ機能とが車両に搭載される場合がある。しかし、このような場合、従来では、前述したような車両制御装置５３とタイヤ空気圧監視装置６１とを独立して車両に搭載する必要があり、部品点数が増加してしまうといった問題が生じる。また、車両制御装置５３とタイヤ空気圧監視装置６１とを搭載するスペースを車両に確保する必要がある。しかし、車両には数多くの車両部品や電装品が搭載されるため、搭載部品の増加を抑えつつ多機能化を図ることが要望されている。
【０００７】
本発明はこうした実情に鑑みてなされたものであり、その目的は、部品点数を低減しつつ多機能化を図ることができる車両制御装置を提供することにある。
【課題を解決するための手段】
【０００８】
上記の課題を解決するために、請求項１に記載の発明では、車両の複数のタイヤにそれぞれ個別に設けられ、対応するタイヤの少なくとも空気圧データを含むタイヤ情報信号を電波で送信する複数のセンサ装置と、前記タイヤ情報信号を受信するとともに、通信機能を有する携帯機から電波で送信される送信信号を受信する受信手段と、前記受信手段によって受信された前記タイヤ情報信号に基づいて前記各センサ装置と対応するタイヤの少なくとも空気圧を監視する監視制御を行うとともに、前記携帯機からの送信信号に基づいて車両の所定の電装品の作動制御を行う制御手段と、を備えることを要旨とする。
【０００９】
請求項２に記載の発明では、請求項１に記載の車両制御装置において、前記タイヤ情報信号は、前記送信信号と異なる周波数に設定され、前記受信手段は、受信周波数を変更可能に構成され、前記制御手段は、前記受信手段による前記タイヤ情報信号の受信待機状態にあっては該タイヤ情報信号の周波数、該受信手段による前記送信信号の受信待機状態にあっては該送信信号の周波数となるように、該受信手段の受信周波数を制御することを要旨とする。
【００１０】
請求項３に記載の発明では、請求項１または請求項２に記載の車両制御装置において、前記制御手段から入力される入力信号を電波に変調して送信する送信手段を備え、前記制御手段は、前記入力信号として、前記センサ装置に対して前記タイヤ情報信号の送信を要求するタイヤ情報要求信号と、前記携帯機に対して前記送信信号の送信を要求する送信要求信号とを選択的に出力する制御を行うとともに、該タイヤ情報要求信号に応答して送信された前記タイヤ情報信号が前記受信手段から入力された際に前記監視制御を行い、該送信要求信号に応答して送信された前記送信信号が前記受信手段から入力された際に前記作動制御を行うことを要旨とする。
【００１１】
請求項４に記載の発明では、通信機能を有する携帯機に対して送信信号の送信を要求する旨を示すリクエスト信号を車両室外の所定領域に電波で送信するとともに、該携帯機から電波で送信される前記送信信号を受信する送受信手段と、前記リクエスト信号に応答して送信された前記送信信号が前記送受信手段によって受信されたか否かに基づいてドアロック駆動装置を駆動制御してドア錠を施解錠するドア錠制御手段とを備えた車両用施解錠制御装置において、前記送受信手段は、車両の複数のタイヤにそれぞれ個別に設けられた複数のセンサ装置から電波で送信される、それぞれ対応するタイヤの少なくとも空気圧データを含むタイヤ情報信号を、受信可能であることを要旨とする。
【００１２】
請求項５に記載の発明では、請求項４に記載の車両制御装置において、前記ドア錠制御手段は、前記受信手段によって受信された前記タイヤ情報信号に基づいて前記各センサ装置と対応するタイヤの少なくとも空気圧を監視する監視制御を行うことを要旨とする。
【００１３】
以下、本発明の「作用」について説明する。
請求項１に記載の発明によると、タイヤ情報信号及び送信信号は受信手段により受信され、監視制御及び作動制御は制御手段によって行われる。このため、タイヤ情報信号を受信する受信手段と送信信号を受信する受信手段とを各別に設ける必要がない。また、監視制御を行うための制御部と作動制御を行うための制御部とを各別に設ける必要がない。よって、部品点数の低減を図りつつ、車両制御装置の多機能化を実現することができる。
【００１４】
請求項２に記載の発明によると、タイヤ情報信号と送信信号とは異なる周波数に設定されており、タイヤ情報信号の受信待機状態と送信信号の受信待機状態とで、受信手段の受信周波数が変更される。このため、タイヤ情報信号と送信信号との混信が確実に防止される。
【００１５】
請求項３に記載の発明によると、制御手段は、タイヤ情報要求信号及び送信要求信号を選択的に出力し、タイヤ情報信号及び送信信号がそれら要求信号に応答して入力された際に、監視制御及び作動制御を行う。このため、制御手段は、タイヤ情報信号及び送信信号を、必要なときのみに取得することが可能となる。よって、センサ装置からタイヤ情報信号が無駄に送信されてしまうことを防止することができ、該センサ装置の電力消費量を低減することができる。
【００１６】
請求項４に記載の発明によると、各センサ装置から送信されるタイヤ情報信号は、送受信手段によって受信可能となっている。すなわち、送受信手段は、携帯機との通信に加え、各センサ装置との通信も可能となっている。このため、タイヤの空気圧を監視するタイヤ空気圧監視装置を車両に設ける際には、タイヤ情報信号を受信するための専用の受信手段が不要となり、車両に搭載すべき部品点数を低減することができる。
【００１７】
請求項５に記載の発明によると、ドア錠制御手段は、受信手段によって受信された前記タイヤ情報信号に基づき、各センサ装置と対応するタイヤの少なくとも空気圧を監視する監視制御を行う。このため、監視制御を行うための専用の制御手段が不要となり、車両に搭載すべき部品点数をさらに低減することができる。
【発明の効果】
【００１８】
以上詳述したように、本発明によれば、部品点数を低減しつつ多機能化を図ることができる車両制御装置を提供することができる。
【発明を実施するための最良の形態】
【００１９】
以下、本発明を具体化した一実施形態を図１〜図４に基づき詳細に説明する。
図１及び図２に示すように、車両制御システム１は、車両２の所有者（ユーザ）によって所持される携帯機３と、車両２に配設された車両制御装置４とを備えている。
【００２０】
携帯機３は、無線通信機能を有し、車両制御装置４から送信される送信要求信号としてのＩＤ要求信号を受信すると、所定周波数の電波からなる送信信号としてのＩＤコード信号を自動的に送信する。このＩＤコード信号は、携帯機３毎に予め設定されたＩＤコードを含んで構成されている。
【００２１】
車両制御装置４は、車両２の各タイヤ５ａ〜５ｄにそれぞれ配設された各センサ装置１１ａ〜１１ｄと、送信手段としての４つの送信アンテナ部１２ａ〜１２ｄ及び受信手段としての４つの受信アンテナ部１３ａ〜１３ｄと、制御ユニット１４とを備えている。制御ユニット１４は、各送信アンテナ部１２ａ〜１２ｄが接続された送信手段としての送信回路１５と、各受信アンテナ部１３ａ〜１３ｄが接続された受信手段としての受信回路１６と、送信回路１５及び受信回路１６が接続された制御手段及びドア錠制御手段としての制御部１７とを備えている。したがって、各送信アンテナ部１２ａ〜１２ｄ及び各受信アンテナ部１３ａ〜１３ｄにより、送受信手段が構成されている。
【００２２】
センサ装置１１ａ〜１１ｄは、それぞれ対応するタイヤ５ａ〜５ｄの空気圧（空気圧データ）や温度（温度データ）等のタイヤ情報を検出し、そのタイヤ情報を示すタイヤ情報信号を所定周波数の電波に変換して外部に送信する。なお、本実施形態においてセンサ装置１１ａ〜１１ｄは、対応する送信アンテナ部１２ａ〜１２ｄから送信されるタイヤ情報要求信号を受信した際に、前記タイヤ情報の検出及びタイヤ情報信号の送信を行うようになっている。つまり、各センサ装置１１ａ〜１１ｄは、タイヤ情報要求信号を受信したことをトリガとして作動するようになっている。また、本実施形態においてタイヤ情報信号と前記ＩＤコード信号とは、同じ周波数に設定されている。さらに、本実施形態において各センサ装置１１ａ〜１１ｄは、対応するタイヤのタイヤバルブとそれぞれ一体に形成されている。
【００２３】
一方、本実施形態において車両２は４つのドアを有しており、各送信アンテナ部１２ａ〜１２ｄ及び各受信アンテナ部１３ａ〜１３ｄは、それらドアにそれぞれ配設されている。具体的には、各送信アンテナ部１２ａ〜１２ｄ及び各受信アンテナ部１３ａ〜１３ｄは、各ドアのアウトサイドドアハンドルや、各ドアの内部などに配設されている。このため、各送信アンテナ部１２ａ〜１２ｄ及び各受信アンテナ部１３ａ〜１３ｄは、各センサ装置１１ａ〜１１ｄの近傍にそれぞれ対応して配設された状態となっている。なお、各送信アンテナ部１２ａ〜１２ｄ及び各受信アンテナ部１３ａ〜１３ｄは、必ずしもドアに配設されている必要はなく、各センサ装置１１ａ〜１１ｄの近傍にそれぞれ対応して配設されているのであれば、どこに配設されてもよい。
【００２４】
こうした各送信アンテナ部１２ａ〜１２ｄは、制御ユニット１４の送信回路１５から入力されるタイヤ情報要求信号またはＩＤ要求信号を外部に送信する。また、各受信アンテナ部１３ａ〜１３ｄは、対応するセンサ装置１１ａ〜１１ｄから送信されたタイヤ情報信号、または携帯機３から送信されたＩＤコード信号を受信する。
【００２５】
送信回路１５は、制御部１７から入力されたタイヤ情報要求信号またはＩＤ要求信号を所定周波数の電波に変調し、その変調した電波を、各送信アンテナ部１２ａ〜１２ｄを介して外部に送信する。また、送信回路１５は、タイヤ情報要求信号の送信時にあっては、制御部１７から入力されるアンテナ制御信号に基づき、各送信アンテナ部１２ａ〜１２ｄのうちの何れか１つのみからタイヤ情報信号を送信させるようになっている。さらに、送信回路１５は、制御部１７から入力される出力強度制御信号に基づき、各送信アンテナ部１２ａ〜１２ｄから送信される電波の出力強度を変化させることができるように構成されている。なお、本実施形態においてタイヤ情報要求信号とＩＤ要求信号とはそれぞれ異なるコードを含んでいる。そして、各センサ装置１１ａ〜１１ｄは、タイヤ情報要求信号の受信時にのみタイヤ情報を送信し、携帯機３は、ＩＤ要求信号の受信時にのみＩＤコード信号を送信するようになっている。
【００２６】
受信回路１６は、受信アンテナ部１３ａ〜１３ｄによって受信されたタイヤ情報信号またはＩＤコード信号をパルス信号に復調し、その復調した信号を制御部１７に出力する。
制御部１７は、具体的には図示しないＣＰＵ、ＲＯＭ、ＲＡＭ等からなるＣＰＵユニットであり、図２に示すように不揮発性のメモリ１７ａを備えている。なお、本実施形態において制御部１７は、公知のスマートエントリ機能を有する車両に搭載されているスマートＥＣＵ（前記背景技術に記載の車両制御部５６と同等のハードウェア構成をなすＥＣＵ）によって構成されている。
【００２７】
メモリ１７ａには、タイヤ５ａ〜５ｄの空気圧や温度等の基準データが予め記録されている。この基準データは、タイヤ５ａ〜５ｄの空気圧や温度等の正常値を示す値であり、所定の範囲をもって設定されている。また、メモリ１７ａには、携帯機３に設定されたＩＤコードと対応するＩＤコードが記録されている。
【００２８】
図２に示すように、制御部１７には、スタートスイッチ２１、インジケータ２２、電装品としてのドアロック駆動装置２３及びエンジン制御部２４が電気的に接続されている。
スタートスイッチ２１は、車両室内の運転席近傍に設けられたエンジン始動・停止用のスイッチであり、操作された際に操作信号を制御部１７に出力する。インジケータ２２は、車両２の室内（例えばインストルメントパネル等）に配設されている。このインジケータ２２は、制御部１７からの作動信号に基づいて表示を行うようになっており、少なくとも前記タイヤ５ａ〜５ｄに異常が生じた旨を表示する。ドアロック駆動装置２３は、図示しないアクチュエータに接続され、制御部１７から駆動信号が入力されると、該アクチュエータを駆動してドア錠を自動的に施解錠する。また、ドアロック駆動装置２３は、ドア錠の施解錠状態を示す施解錠状態信号を制御部１７に出力する。エンジン制御部２４は、図示しないセルモータに接続され、制御部１７から始動信号が入力されると、同セルモータを駆動してエンジンを自動的に始動させる。また、エンジン制御部２４は、エンジンの駆動状態を示す駆動状態信号を制御部１７に出力する。
【００２９】
こうした制御部１７は、タイヤ情報要求信号及びＩＤ要求信号のうちの何れか一方を、所定のタイミングで送信回路１５に出力する。また、制御部１７は、送信回路１５に出力強度制御信号を出力し、該送信回路１５から送信アンテナ部１２ａ〜１２ｄを介して送信される電波の出力強度を制御可能となっている。具体的には、図１に示すように、制御部１７は、タイヤ情報要求信号の出力時には第１出力強度制御信号を出力し、該タイヤ情報要求信号の出力領域が少なくとも対応するセンサ装置１１ａ〜１１ｄを含む小領域Ａ１となるように出力強度を制御する。一方、制御部１７は、ＩＤ要求信号の出力時には第２出力強度制御信号を出力し、該ＩＤ要求信号の出力領域が前記小領域Ａ１よりも大きな大領域Ａ２となるように出力強度を制御する。
【００３０】
そして、制御部１７は、受信回路１６からタイヤ情報信号が入力されると、そのタイヤ情報信号に基づいて各タイヤ５ａ〜５ｄの監視制御を行う。また、制御部１７は、受信回路１６からＩＤ情報信号が入力されると、そのＩＤ情報信号に基づいてドアロック駆動装置２３やエンジン制御部２４などの電装品の作動制御を行う。そこで、制御部１７によって行われるタイヤ情報要求信号及びＩＤ要求信号の出力制御と、各タイヤ５ａ〜５ｄの監視制御と、電装品の作動制御とを、図３に示すフローチャート及び図４に示すタイムチャートに従って説明する。
【００３１】
図３に示すように、ステップＳ１において制御部１７は、エンジン制御部２４から入力される駆動状態信号に基づき、エンジンが駆動中であるか否かを判断する。そして、制御部１７は、エンジンが駆動中であれば、ステップＳ２〜Ｓ４において各タイヤ５ａ〜５ｄの監視制御を行う。
【００３２】
詳しくは、ステップＳ２において制御部１７は、アンテナ制御信号を送信回路１５に出力し、図４にポイントＰ１〜Ｐ４で示すように、各送信アンテナ部１２ａ〜１２ｄから択一的にタイヤ情報要求信号を送信させる。ここで制御部１７は、図１に示した小領域Ａ１にタイヤ情報要求信号を送信させる。なお、本実施形態において制御部１７は、送信アンテナ部１２ａ→送信アンテナ部１２ｂ→送信アンテナ部１２ｃ→送信アンテナ部１２ｄの順でタイヤ情報要求信号を送信させるようになっている。
【００３３】
そして、ステップＳ３において制御部１７は、受信回路１６からタイヤ情報信号が入力されたか否かを判断する。すなわち、制御部１７は、各送信アンテナ部１２ａ〜１２ｄから送信したタイヤ情報要求信号に応答して送信されたセンサ装置１１ａ〜１１ｄからのタイヤ情報信号が入力されたか否かを判断する。制御部１７は、該タイヤ情報信号が入力されると、ステップＳ４において該タイヤ情報信号に基づいてタイヤ５ａ〜５ｄの空気圧状態などをインジケータ２２に表示させてここでの処理を一旦終了する。また、制御部１７は、ステップＳ３においてタイヤ情報信号が入力されないと判断すると、再びステップＳ２の処理へ移行し、対応する送信アンテナ部１２ａ〜１２ｄからタイヤ情報要求信号を送信させる。
【００３４】
一方、制御部１７は、ステップＳ１においてエンジンが停止状態であると判断した場合、ステップＳ５及びステップＳ６において電装品の作動制御を行う。
詳しくは、制御部１７は、図示しない着座センサ等により、車両室内にユーザが存在しないと判断した場合、ステップＳ５において、図４にポイントＰ５〜Ｐ７で示すように、各送信アンテナ部１２ａ〜１２ｄの全てから同時にＩＤ要求信号を送信させる。ここで制御部１７は、図１に示した大領域Ａ２にＩＤ要求信号を送信させる。なお、同図に示すように、制御部１７は、所定の間欠周期ΔｔでＩＤ要求信号を各送信アンテナ部１２ａ〜１２ｄから送信させるようになっている。
【００３５】
そして、ステップＳ６において制御部１７は、携帯機３から送信されるＩＤコード信号に基づいて、前記ドアロック駆動装置２３の作動制御を行う。詳しくは、まず制御部１７は、受信回路１６からＩＤコード信号が入力されたか否かを判断する。すなわち、制御部１７は、各送信アンテナ部１２ａ〜１２ｄから送信したＩＤ要求信号に応答して送信された携帯機３からのＩＤコード信号が入力されたか否かを判断する。これにより、該ＩＤコード信号が入力されると、ステップＳ７において制御部１７は、そのＩＤコード信号に含まれるＩＤコードとメモリ１７ａに記録されたＩＤコードとの比較（ＩＤコード照合）を行う。そして、それらＩＤコード同士が一致（ＩＤコード照合が成立）した際に、制御部１７は、ドアロック駆動装置２３に解錠の旨を示す駆動信号（解錠駆動信号）を出力してドア錠を解錠させる。これに対し、該ＩＤコード同士が一致しない場合やＩＤコード信号が入力されない場合、制御部１７は、ドアロック駆動装置２３に施錠の旨を示す駆動信号（施錠駆動信号）を出力してドア錠を施錠させる。
【００３６】
また、制御部１７は、前記着座センサ等により、車両室内にユーザが存在していると判断した場合、ステップＳ５において、図示しない室内送信アンテナ部から車両室内の所定領域に前記ＩＤ要求信号を送信させる。ここで制御部１７は、前記間欠周期ΔｔでＩＤ要求信号を室内送信アンテナから送信させるようになっている。そして、ステップＳ６において制御部１７は、携帯機３から送信されるＩＤコード信号が入力され、ＩＤコード照合が成立した際に、エンジン始動許可状態となる。制御部１７は、このエンジン始動許可状態で前記スタートスイッチ２１から操作信号が入力されると、エンジン制御部２４に始動信号を出力してエンジンを始動させる。なお、本実施形態においては、シフトポジションセンサ３４が「Ｐ」レンジまたは「Ｎ」レンジに位置し、且つブレーキペダルが踏み込み操作されているときにのみエンジンを始動可能に設定されている。これに対し、該ＩＤコード照合が成立しない場合やＩＤコード信号が入力されない場合、制御部１７は、エンジン始動不可状態となり、たとえスタートスイッチ２１から操作信号が入力されてもエンジン制御部２４に始動信号を出力しないようになっている。
【００３７】
つまり、本実施形態において、制御部１７は、携帯機３との通信の有無に基づいて、ドア錠の施解錠制御及びエンジンの始動許可制御を行うようになっている。
したがって、本実施形態によれば以下のような効果を得ることができる。
【００３８】
（１）各センサ装置１１ａ〜１１ｄから送信されるタイヤ情報信号、及び携帯機３から送信されるＩＤコード信号は、共に受信回路１６により受信される。そして、監視制御及び作動制御は、共に制御部１７によって行われる。このため、タイヤ情報信号を受信するための受信回路とＩＤコード信号を受信するための受信回路とを各別に設ける必要がない。また、監視制御を行うための制御部と作動制御を行うための制御部とを各別に設ける必要がない。よって、部品点数の低減を図りつつ、車両制御装置４の多機能化を実現することができる。
【００３９】
（２）制御部１７は、タイヤ情報要求信号及びＩＤ要求信号を選択的に出力し、タイヤ情報信号及びＩＤコード信号がそれら要求信号に応答して入力された際に、監視制御及び作動制御を行う。このため、制御部１７は、タイヤ情報信号及びＩＤコード信号を、必要なときのみに取得することが可能となる。よって、各センサ装置１１ａ〜１１ｄからタイヤ情報信号が無駄に送信されてしまうことを防止することができ、該センサ装置１１ａ〜１１ｄの電力消費量を低減することができる。
【００４０】
（３）タイヤ情報要求信号及びＩＤ要求信号は、異なる強度の電波で送信される。各センサ装置１１ａ〜１１ｄはタイヤに設けられているため、対応する送信アンテナ部１２ａ〜１２ｄからセンサ装置１１ａ〜１１ｄまでの距離（監視通信距離）が一定である。これに対し、携帯機３はユーザによって所持されるため、各送信アンテナ部１２ａ〜１２ｄから携帯機３までの距離（作動通信距離）は変化する。すなわち、監視通信距離と作動通信距離とは異なる。よって、タイヤ情報要求信号の電波強度と送信要求信号の電波強度とを制御部１７によって変化させることにより、それぞれ最適な電波強度で各センサ装置１１ａ〜１１ｄ及び携帯機３との通信が可能となる。
【００４１】
（４）通常、タイヤの空気圧の監視制御は、車両の走行時、すなわちエンジンが駆動しているときに必要となる。一方、ドアロック駆動装置２３やエンジン制御部２４などの電装品の作動制御は、エンジンの停止状態において必要となる。このため、エンジンの駆動中にのみタイヤ情報要求信号を送信し、エンジンの停止状態にのみＩＤ要求信号を送信することにより、監視制御及び作動制御を好適に行うことができる。
【００４２】
（５）タイヤ情報要求信号を送信するためのタイヤ用送信手段と、ＩＤ要求信号を送信するための携帯機用送信手段とが、各送信アンテナ部１２ａ〜１２ｄ及び送信回路１５によって共用されている。このため、タイヤ用送信手段と携帯機用送信手段とを個別に設ける必要がなく、部品点数の増加を抑止することができる。
【００４３】
（６）各送信アンテナ部１２ａ〜１２ｄ及び各受信アンテナ部１３ａ〜１３ｄは、車両２の４つのドアにそれぞれ配設されている。このため、車両２の室外における各ドアの周辺にリクエスト信号を確実に送信することができ、携帯機３との通信を確実に行うことができる。しかも、各送信アンテナ部１２ａ〜１２ｄ及び各受信アンテナ部１３ａ〜１３ｄは、各センサ装置１１ａ〜１１ｄの近くにそれぞれ対応して配置された状態となる。よって、各送信アンテナ部１２ａ〜１２ｄから送信されるタイヤ情報要求信号が各センサ装置１１ａ〜１１ｄによって受信されやすく、また、各センサ装置１１ａ〜１１ｄから送信されるタイヤ情報信号が各受信アンテナ部１３ａ〜１３ｄによって受信されやすい。すなわち、各送信アンテナ部１２ａ〜１２ｄ及び各受信アンテナ部１３ａ〜１３ｄと各センサ装置１１ａ〜１１ｄとの通信を高い信頼性で行うことができる。
【００４４】
なお、本発明の実施形態は以下のように変更してもよい。
・  前記実施形態において制御部１７は、エンジンが駆動していることを条件として各タイヤ５ａ〜５ｄの監視制御を行い、エンジンが停止していることを条件として電装品の作動制御を行うようになっている。しかし、制御部１７は、必ずしもエンジンの駆動中にのみ該監視制御を行うようになっている必要はない。つまり、制御部１７が監視制御を行うタイミングは、エンジンが駆動したことに限定されない。例えば、制御部１７は、車両２の室内で携帯機３との通信が成立したこと、すなわちエンジン始動許可状態となったことを条件として、該監視制御を行うようになっていてもよい。
【００４５】
・  前記実施形態において車両制御装置４は、タイヤ情報要求信号を送信するための送信手段と、ＩＤ要求信号を送信するための送信手段とを、各送信アンテナ部１２ａ〜１２ｄ及び送信回路１５によって共用している。しかし、車両制御装置４は、タイヤ情報要求信号のみを送信する送信アンテナ部及び送信回路と、ＩＤ要求信号のみを送信する送信アンテナ部及び送信回路とを、個別に備えていてもよい。
【００４６】
・  前記受信回路１６は受信感度を変更に構成されていてもよい。そして、制御部１７は、タイヤ情報信号の受信待機時とＩＤコード信号の受信待機時とで、受信回路１６の受信感度を変更する感度変更制御を行うようになっていてもよい。例えば、制御部１７は、受信回路１６の受信感度、すなわち各受信アンテナ部１３ａ〜１３ｄの受信感度を、タイヤ情報要求信号を出力する際には低くし、ＩＤ要求信号を出力する際には高くするように感度変更制御を行うようになっていてもよい。このようにすれば、特にタイヤ５ａ〜５ｄの監視制御中にあっては、各受信アンテナ部１３ａ〜１３ｄがノイズを受信しにくくなり、好適な監視制御を行うことができる。
【００４７】
・  前記実施形態において送信回路１５は各送信アンテナ部１２ａ〜１２ｄから送信する電波の強度を変更可能に構成されているが、必ずしも変更可能である必要はない。例えば、タイヤ情報要求信号は、前記大領域Ａ２に送信されるようになっていてもよい。
【００４８】
・  前記実施形態において制御部１７は、エンジンの駆動状態にあってはタイヤ情報要求信号のみを出力して各タイヤ５ａ〜５ｄの監視制御のみを行い、エンジンの停止状態にあってはＩＤ要求信号のみを出力して電装品の作動制御のみを行うようになっている。しかし、制御部１７は、エンジンの駆動状態においてもＩＤ要求信号を出力して作動制御を行ってもよく、またエンジンの停止状態においてもタイヤ情報要求信号を出力して監視制御を行うようになっていてもよい。但し、エンジンの駆動状態にあってはタイヤ情報要求信号の出力比率が高く、エンジンの停止状態にあってはＩＤ要求信号の出力比率が高く設定されているのが好ましい。
【００４９】
・  前記実施形態において車両制御装置４は、各センサ装置１１ａ〜１１ｄと対応して設けられた送信アンテナ部１２ａ〜１２ｄと、送信回路１５とを備えている。しかし、これら送信アンテナ部１２ａ〜１２ｄ及び送信回路１５を省略してもよい。但しこの場合、各センサ装置１１ａ〜１１ｄは、タイヤ情報信号を自動的に送信するようになっている必要がある。例えば、各センサ装置１１ａ〜１１ｄは、所定の間欠周期でタイヤ情報信号を自動的に送信するようになっている必要がある。
【００５０】
・  前記実施形態においてタイヤ情報信号及びＩＤコード信号は、同一の周波数に設定されている。しかし、タイヤ情報信号及びＩＤコード信号は、異なる周波数に設定されてもよい。それに伴い、受信回路１６は、受信周波数を変更可能に構成されてもよい。加えて、制御部１７は、タイヤ情報信号の受信待機状態と送信信号の受信待機状態とで、受信回路１６の受信周波数を変更する周波数変更制御を行うようになっていてもよい。このようにすれば、タイヤ情報信号と送信信号との混信を確実に防止することができ、監視制御及び作動制御を好適に行うことができる。
【００５１】
次に、特許請求の範囲に記載された技術的思想のほかに、前述した実施形態によって把握される技術的思想を以下に列挙する。
（１）  請求項２に記載の車両制御装置において、前記受信手段は受信感度を変更可能に構成され、前記制御手段は、前記受信手段による前記タイヤ情報信号の受信待機状態と前記送信信号の受信待機状態とで、該受信手段の受信感度を変化させる感度変更制御を行うこと。
【００５２】
（２）  請求項３に記載の車両制御装置において、前記送信手段は、送信する電波の強度を変更可能に構成され、前記制御手段は、前記タイヤ情報要求信号の出力時と前記送信要求信号の出力時とで、前記送信手段から送信される電波の強度を制御すること。この技術的思想（２）に記載の発明によれば、タイヤ情報要求信号及び送信要求信号は、異なる強度の電波で送信される。各センサ装置はタイヤに設けられているため送信手段からセンサ装置までの距離（監視通信距離）が一定であるのに対し、携帯機はユーザによって所持されるため送信手段から携帯機までの距離（作動通信距離）は変化する。すなわち、監視通信距離と作動通信距離とは異なる。よって、タイヤ情報要求信号の電波強度と送信要求信号の電波強度とを制御手段によって変化させることにより、それぞれ最適な電波強度で各センサ装置及び携帯機との通信が可能となる。
【００５３】
（３）  請求項３または技術的思想（２）に記載の車両制御装置において、前記制御手段は、少なくともエンジンの駆動状態を示すエンジン駆動情報を含む車両情報に基づいて、前記タイヤ情報要求信号及び前記送信要求信号の出力比率を変化させること。この技術的思想（３）に記載の発明によれば、通常、タイヤの空気圧の監視制御は、車両の走行時、すなわちエンジンが駆動しているときに必要となる。一方、例えば送信信号に基づいてドア錠の施解錠やエンジンの始動許可を制御するセキュリティ制御システムとして車両制御装置を具体化した場合などには、電装品の作動制御は、エンジンの停止状態において必要となる。このため、エンジンの駆動状態と停止状態とでタイヤ情報要求信号及び送信要求信号の出力比率を変化させることにより、監視制御及び作動制御を好適に行うことができる。
【００５４】
（４）  技術的思想（２）に記載の車両制御装置において、前記制御手段は、前記タイヤ情報要求信号の送信時には、前記送信要求信号の送信時よりも電波の強度が低くなるように前記送信手段を制御すること。
【００５５】
（５）  技術的思想（３）に記載の車両制御装置において、前記制御手段は、エンジンの駆動状態にあっては前記タイヤ情報要求信号を高い比率で出力し、エンジンの停止状態にあっては前記送信要求信号を高い比率で出力すること。
【００５６】
（６）  請求項３、技術的思想（２）〜（５）のいずれか１項に記載の車両制御装置において、前記タイヤ情報信号の送信周波数と、前記送信信号の送信周波数とは、同一の周波数に設定されていること。
【００５７】
（７）  請求項３、技術的思想（２）〜（６）のいずれか１項に記載の車両制御装置において、前記送信手段は、前記各センサ装置の近傍にそれぞれ配設された送信アンテナ部と、前記制御手段から入力される入力信号を電波に変調して各送信アンテナ部から送信する一つの送信回路とを備えていること。
【００５８】
（８）  請求項１〜３、技術的思想（１）〜（７）のいずれか１項に記載の車両制御装置において、前記受信手段は、前記各センサ装置の近傍にそれぞれ配設された受信アンテナ部と、それら受信アンテナ部によって受信された電波を復調して前記制御手段に出力する一つの受信回路とを備えていること。
【００５９】
（９）  車両の複数のタイヤにそれぞれ個別に設けられ、所定のタイヤ情報要求信号を受信したことを条件として、対応するタイヤの少なくとも空気圧データを含むタイヤ情報信号を自動的に送信することを特徴とするセンサ装置。
【図面の簡単な説明】
【００６０】
【図１】本発明の一実施形態の車両制御装置を搭載した車両の概略的に示す平面図。
【図２】同実施形態の車両制御システムの概略構成を示すブロック図。
【図３】同実施形態の制御手段の処理を示すフローチャート。
【図４】同実施形態の制御態様の一例を示すタイムチャート。
【図５】従来の車両用セキュリティ制御装置の概略構成を示すブロック図。
【図６】従来のタイヤ空気圧監視装置の概略構成を示すブロック図。
【符号の説明】
【００６１】
１…車両制御システム、２…車両、３…携帯機、４…車両制御装置、５ａ〜５ｄ…タイヤ、１１ａ〜１１ｄ…センサ装置、１２ａ〜１２ｄ…送信アンテナ部、１３ａ〜１３ｄ…受信アンテナ部、１５…送信回路、１６…受信回路、１７…制御手段としての制御部、２３…電装品としてのドアロック駆動装置、２４…電装品としてのエンジン制御部。
【図１】
2005178635.tif 000003
【図２】
2005178635.tif 000004
【図３】
2005178635.tif 000005
【図４】
2005178635.tif 000006
【図５】
2005178635.tif 000007
【図６】
2005178635.tif 000008